(57)【特許請求の範囲】
【請求項１】
外ポットと内ポットからなり、前記外ポットには取っ手を設け、前記内ポットは前記外ポットの内縁に納置すると共に、前記外ポットの開口端に跨設することができ、且つ前記内ポットにはフィルターを具備して、前記フィルターに前記内ポットの飲料を前記外ポットに流し込み、前記外ポットと前記内ポットにはそれぞれ外ポット蓋と内ポット蓋を設け、前記外ポット蓋は前記外ポットの取っ手に枢接し、
前記取っ手の頂端には収納溝を設け、且つ前記取っ手には前記収納溝に通じるピボット孔を設け、
前記外ポット蓋の一側には押下部を有し、前記外ポット蓋と前記押下部の間にはピボット部を有し、前記ピボット部に前記収納溝を納置し、且つ前記ピボット部には縦方向の長方形孔を有すると共に、ピントルを前記ピボット孔と前記長方形孔に挿入して前記外ポット蓋を前記取っ手に枢接し、
前記取っ手の収納溝の両側に弧状誘導軌道を具備し、前記外ポット蓋のピボット部の両側にフランジを設け、
前記外ポット蓋の前記押下部を押下すると、前記長方形孔が前記ピントルに案内されて移動しつつ、前記フランジが前記弧状誘導軌道に沿って位置が限定されてスライドすることを特徴とする飲料用容器。
【請求項２】
前記外ポット蓋の内縁に誘導ブロックを設け、且つ前記誘導ブロックが前記ピボット部に近接していることを特徴とする請求項１に記載する飲料用容器。
【請求項３】
前記外ポット蓋の前記誘導ブロックから離れた一端に加重部を具備することを特徴とする請求項１に記載する飲料用容器。
【発明の詳細な説明】
【技術分野】
【０００１】
本発明は構造を改良した飲料用容器に関し、特に内／外ポットを具備して内ポットを外ポットに納置し、又は外ポットから取り出して別々にする際、外ポット蓋は容易且つスムースに前記外ポットから開閉することができる飲料用容器に関する。
【背景技術】
【０００２】
図８と図９に示す様な従来の飲料用容器９は、通常茶葉やコーヒー等の茶漉しが必要な飲料に用いるが、前記容器９は内ポット９１と外ポット９２を具備し、それぞれ内ポット蓋９１１と外ポット蓋９２１によって前記内ポット９１と前記外ポット９２を閉め、且つ前記内ポット９１は前記外ポット９２に納置し、又は前記外ポット９２から取り出して別々にすることができ、フィルター９３で茶漉しをして飲料を前記外ポット９２に流し込む。
【０００３】
前記外ポット９２は取っ手９２２を有し、前記取っ手９２２にはさらにスライド溝９２３を設け、また前記外ポット蓋９２１はピボットバー９２４を前記取っ手９２２のスライド溝９２３に枢接し、また前記外ポット蓋９２１の頂面には縦方向に押下部９２５を設け、これによって前記押下部９２５は前記外ポット蓋９２１を前記外ポット９２から開閉することができる。
【０００４】
然しながら、前記押下部９２５を前記外ポット蓋９２１の頂面に設け、ユーザーが前記取っ手９２２を握り持ち、その手指が前記押下部９２５から遠くに離れ過ぎると、前記外ポット蓋９２１の開閉操作は容易ではない。また、前記外ポット蓋９２１は前記ピボットバー９２４により前記取っ手９２２のスライド溝９２３と一緒になって回転するに過ぎず、前記外ポット蓋９２１を開閉する際に不安定でぐらぐらするという懸念がある。さらには、前記外ポット蓋９２１の開閉動作をする際、前記外ポット蓋９２１が前記外ポット９２のポット開口部９２６に引っ掛り易く、前記外ポット蓋９２１を閉める動作の妨げになる。
【発明の開示】
【発明が解決しようとする課題】
【０００５】
本発明の目的の一つは、上記の問題を解決して、前記外ポット蓋と前記取っ手との組立て設計によって、片手で前記取っ手を握り持ったまま押下部を押下するだけで、前記ピントルを支点として外ポット蓋を容易く外ポットから開閉することができ、使用面で相当便利な構造に改良した飲料用容器を提供することにある。
【０００６】
本発明の目的の二つ目は、前記ピボット部のフランジにより弧状レールに合わせて、前記外ポット蓋を安定させて前記外ポットから開閉する。
【０００７】
本発明の目的の三つ目は、前記外ポット蓋の内縁に誘導ブロックを設け、前記外ポット蓋をスムースに前記外ポットから開閉することができる様にすることで、引っ掛かる懸念を払拭する。
【課題を解決するための手段】
【０００８】
飲料用容器は、外ポットと内ポットからなる。
前記外ポットには取っ手を設け、前記内ポットは前記外ポットの内縁に納置すると共に、前記外ポットの開口端に跨設することができ、且つ前記内ポットにはフィルターを具備して、前記フィルターに前記内ポットの飲料を前記外ポットに流し込み、前記外ポットと前記内ポットにはそれぞれ外ポット蓋と内ポット蓋を設け、前記外ポット蓋は前記外ポットの取っ手に枢接し、前記取っ手の頂端には収納溝を設け、且つ前記取っ手には前記収納溝に通じるピボット孔を設け、前記外ポット蓋の一側には押下部を有し、前記外ポット蓋と前記押下部の間にはピボット部を有し、前記ピボット部に前記収納溝を納置し、且つ前記ピボット部には縦方向の長方形孔を有すると共に、ピントルを前記ピボット孔と前記長方形孔に挿入して前記外ポット蓋を前記取っ手に枢接する。
前記取っ手の収納溝の両側に弧状誘導軌道を具備し、前記外ポット蓋のピボット部の両側にフランジを設ける。
前記外ポット蓋の前記押下部を押下すると、前記長方形孔が前記ピントルに案内されて移動しつつ、前記フランジが前記弧状誘導軌道に沿って位置が限定されてスライドする。
【発明の効果】
【０００９】
本発明の長所は外ポットの取っ手と外ポット蓋の構造との組合せによって、内ポットを前記外ポットに納置する際、或いは前記外ポットから別々にして取り出す際に拘らず、前記容器の外ポット蓋を容易く開けたり又は確実に閉めたりすることができ、その操作面において相当な利便性を有していることにある。
【発明を実施するための最良の形態】
【００１０】
（実施例）
本発明の好ましい実施例は図１乃至図７を参照するが、図中で開示したものは何れも本発明で選択適用した好ましい実施例であり、ここで説明の用に供するに過ぎず、特許出願においては本構造に制限されるわけではない。
【００１１】
まず、図１と図２において、図中で開示しているのは構造を改良した飲料用容器であって、外ポット１と内ポット２からなり、前記外ポット１には取っ手４を取り付け、また前記外ポット１と前記内ポット２はそれぞれ外ポット蓋５と内ポット蓋２１を取り付け、前記外ポット蓋５は前記取っ手４に枢接する。前記内ポット２は前記外ポット１の内縁に納置し、又は前記外ポット１から取り出して別々にすることができると共に、内ポット２の頂面に設けた環状係止縁２２によって前記内ポット２を前記外ポット１の開口端１１に跨設させることができる。
【００１２】
前記内ポット２には点てようとする茶葉やコーヒー等の物質を入れるための収納スペース２３を有し、前記収納スペース２３にはフィルター３を設けて、点てた飲料を前記外ポット１に流し込むと共に、出がらしを前記収納スペース２３に溜めておく。図6に示す様に、前記フィルター３はプッシュレバー３１、連接棒３２、止水部３３及びフィルター用ネット３４を含み、前記内ポット２は前記止水部３３下方にホール２４を開設し、前記止水部３３は正常の状態では前記ホール２４を塞いでおり、前記プッシュレバー３１を押下して前記連接棒３２に連動させて、前記止水部３３を前記ホール２４から持ち上げると、このとき内ポット２に入っている飲料がスムースに前記外ポット１に流れ込むと共に、前記内ポット２のフィルター用ネット３４に出がらしを溜めることができる。
【００１３】
前記外ポット１の取っ手４の頂端には収納溝４１及び前記収納溝４１に通じるピボット孔４１１を設け、前記ピボット孔４１１は横方向に前記取っ手４を貫通し、また前記取っ手４は前記収納溝４１の両側にそれぞれ弧状誘導軌道４２を具備し、各前記弧状誘導軌道４２は前記収納溝４１に設けて且つ前記外ポット１の開口端１１に近接する。
【００１４】
前記外ポット蓋５は前記外ポット１の開口端１１に対向して蓋を閉じ、前記外ポット蓋５は前記外ポット１の開口端１１の一側から離して押下部５を具備し、また前記外ポット蓋５と前記押下部５１の間にはピボット部５２を具備し、前記ピボット部５２は前記収納溝４１に納置し、前記ピボット部５２には縦方向の長方形孔５２１を具備すると共に、ピントル６を前記ピボット孔４１１と前記長方形孔５２１に挿入して前記外ポット蓋５を前記取っ手４に枢接する。
【００１５】
このほか、前記外ポット蓋５は前記ピボット部５２の両側にそれぞれフランジ５２２を設け、本実施例では前記フランジ５２２は前記長方形孔５２１下方に設け、前記フランジ５２２は前記取っ手４にある収納溝４１内の弧状誘導軌道４２に合せて設け、前記フランジ５２２は前記弧状誘導軌道４２に沿って位置を限定してスライドさせることができ、図３で示す様に、前記外ポット蓋５の内縁は前記ピボット部５２に近接して誘導ブロック５３を設け、図４で示す様に、前記外ポット蓋５には前記誘導ブロック５３の一端から離して加重部５４を設けることによって、前記外ポット蓋５を容易く前記外ポット１から開閉する。
【００１６】
本発明には下記二種類の使用状態がある。それぞれ前記内ポット２を前記外ポット１から別にして取り出し、前記内ポット２を前記外ポット１の開口端１１に跨設する際の前記外ポット蓋５の開閉動作は各々下記のとおり説明する。
【００１７】
図２乃至図５の様に、本発明の一種類目の使用状態は、前記内ポット２を前記外ポット１から取り出して別々にして、前記内ポット２は前記内ポット蓋２１を倒置して前記内ポット２の底部に敷き、前記内ポット２底部に残留する飲料が浸み出して外部に流出するのを防止することを図２で示している。
【００１８】
図４で示す様に、前記外ポット蓋５を前記外ポット１にしっかりと閉めると、前記外ポット蓋５のピボット部５２が前記取っ手４の収納溝４１に納置され、また前記ピントル６は前記長方形孔５２１の頂端に位置する。
【００１９】
前記押下部５１を押下すると、前記外ポット蓋５は前記ピントル６を回転させて傾斜状を呈し、また前記ピボット部５２のフランジ５２２は前記弧状誘導軌道４２の方向に移動すると共に、前記弧状誘導軌道４２に沿って位置を限定してスライドする。本実施例では図５に示す様に、前記フランジ５２２は前記弧状誘導軌道４２に沿って下から上にスライドして前記外ポット蓋５をスムースに開けるが、このとき前記押下部５１が前記取っ手４によって遮られ、且つ前記フランジ５２２が前記弧状誘導軌道４２によって遮られ、また前記ピントル６が前記ピボット孔４１１と前記長方形孔５２１に挿入されることにより、開けられた外ポット蓋５のピボット部５２が外向きに反転して前記取っ手４の収納溝４１から離脱するのを防止することができる。
【００２０】
上記の使用状態を受けて、前記外ポット蓋５を閉めようとする場合、まず前記押下部５１を放すと、前記外ポット蓋５が自ずと前記加重部５４の重力の影響を受けて、その勢いで前記ピントル６を軸心として前記外ポット１の開口端１１に蓋をするが、この際前記フランジ５２２は前記弧状誘導軌道４２に沿って上から下へスライドし、前記外ポット蓋５に設けた誘導ブロック５３が前記外ポット１を閉めたときに誘導する効果を提供して、前記外ポット蓋５は前記外ポット１をしっかり閉めて引っ掛かることがない。
【００２１】
さらに、図６と図７において、図中で開示しているものは本発明の二種類目の使用状態を開示するためのものであり、前記内ポット２を前記外ポット１に置いた際の前記外ポット蓋５の開閉状況を説明している。
【００２２】
図６で示す様に、前記内ポット２はその頂面に設けた環状係止縁２２により前記外ポット１の開口端１１に跨設するので、前記内ポット２の環状係止縁２２頂端の高さ位置は前記外ポット１の開口端１１よりも高く、また前記外ポット蓋５は前記内ポット２の環状係止縁２２の頂端にしっかりと閉められ、このとき前記ピントル６は前記長方形孔５２１の底端に位置している。
【００２３】
また図７では、前記押下部５１を押下すると、前記外ポット蓋５は傾斜状を呈し、前記長方形孔５２１はその勢いで前記長方形孔５２１の頂端が前記ピントル６に当接するまで下方に移動し、前記フランジ５２２は前記弧状誘導軌道４２へとスライドして、前記弧状誘導軌道４２に沿って下から上へスライドすると、前記外ポット蓋５をスムースに開けることができる。
【００２４】
上記の使用状態を受けて、前記外ポット蓋５を閉めようとする場合、まず前記押下部５１を放すと、前記外ポット蓋５が前記加重部５４の重力の影響を受けて、前記ピントル６を軸心として前記外ポット１の開口端１１に向かって蓋をするが、前記外ポット蓋５はまず前記誘導ブロック５３の一端を前記内ポット２の環状係止縁２２と接触させ、前記誘導ブロック５３が前記外ポット蓋５を誘導して位置決めをし、前記内ポット２の環状係止縁２２の頂端に蓋をする。
【００２５】
上記実施例の説明から分かる様に、本発明の長所は外ポットの取っ手と外ポット蓋の構造との組合せによって、内ポットを前記外ポットに納置する際、或いは前記外ポットから別にして取り出す際に拘らず、前記容器の外ポット蓋を容易く開けたり又は確実に閉めたりすることができ、その操作面において相当な利便性を有していることにある。
【図面の簡単な説明】
【００２６】
【図１】本発明の分解斜視図である。
【図２】本発明に係る一種類目の使用状態での斜視図である。
【図３】本発明に係る一種類目の使用状態で蓋を開けた斜視図である。
【図４】本発明に係る一種類目の使用状態で蓋を閉めた断面図である。
【図５】本発明に係る一種類目の使用状態で蓋を開けた断面図である。
【図６】本発明に係る二種類目の使用状態で蓋を閉めた断面図である。
【図７】本発明に係る二種類目の使用状態で蓋を開けた断面図である。
【図８】従来の飲料用容器の分解斜視図である。
【図９】従来の飲料用容器の斜視図である。
【符号の説明】
【００２７】
９：容器、９１：内ポット、９１１：内ポット蓋、９２：外ポット、９２１：外ポット蓋、９２２：取っ手、９２３：スライド溝、９２４：ピボットバー、９２５：押下部、９２６：ポット開口部、９３：フィルター、１：外ポット、１１：開口端、２：内ポット、２１：内ポット蓋、２２：環状係止縁、２３：収納スペース、２４：ホール、３：フィルター、３１：プッシュレバー、３２：連接棒、３３：止水部、３４：フィルター用ネット、４：取っ手、４１：収納溝、４１１：ピボット孔、４２：弧状誘導軌道、５：外ポット蓋、５１：押下部、５２：ピボット部、５２１：長方形孔、５２２：フランジ、５３：誘導ブロック、５４：加重部、６：ピントル
【図１】
0004850867.tif 000002
【図２】
0004850867.tif 000003
【図３】
0004850867.tif 000004
【図４】
0004850867.tif 000005
【図５】
0004850867.tif 000006
【図６】
0004850867.tif 000007
【図７】
0004850867.tif 000008
【図８】
0004850867.tif 000009
【図９】
0004850867.tif 000010